(57)【要約】【課題】  複数の電子部品から構成されたインバータなどの各種電気機器において、構成部材からの異臭の発生を抑制するとともに汚れや早期劣化の防止などがさらに図れる、電気機器あるいは放電ランプを用いた照明器具および電球形放電ランプ点灯装置を提供することを目的とする。【解決手段】  電球形放電ランプ点灯装置は、屈曲したバルブ２３を有する放電ランプ２と、上記放電ランプ２と電気的に接続する点灯回路部品３１，…で構成された点灯回路装置３と、一端側に口金６が設けられ、他端側に放電ランプ２を保持する保持部を有し、点灯回路装置３を収容したドーム状部１２を有するカバー体１と、このカバー体１内に設けられた吸着手段７Ａ，７Ｂとを備えている電球形放電ランプ点灯装置Ｌである。【選択図】  図１
2006120323.tif 000002
【特許請求の範囲】
【請求項１】
複数の電子部品を実装している回路基板と；
上記回路基板を収容するケースと；
上記ケース内に設けられた吸着手段と；
を具備していることを特徴とする電気機器。
【請求項２】
ソケット装置を有するとともに点灯回路装置が設けられた筐体と；
上記ソケット装置に装着された放電ランプと：
上記筐体内に設けられた吸着手段と；
を具備していることを特徴とする照明器具。
【請求項３】
屈曲したバルブを有する放電ランプと；
上記放電ランプと電気的に接続する点灯回路部品で構成された点灯回路装置と；
一端側に口金が設けられ、他端側に放電ランプを保持する保持部を有し、点灯回路装置を収容したドーム状部を有するカバー体と；
このカバー体内に設けられた吸着手段と；
を具備していることを特徴とする電球形放電ランプ点灯装置。
【請求項４】
上記ケース、筐体、カバー体のうちの少なくとも一部の、相対的に温度の低い領域には物理吸着する吸着手段を、温度の高い領域には化学吸着する吸着手段が設けられていることを特徴とする請求項１ないし３のいずれか一記載の電気機器、照明器具または電球形放電ランプ点灯装置。
【請求項５】
上記回路基板、ケース、放電ランプ、点灯回路装置、筐体、カバー体のうちの少なくとも一部に光触媒膜が設けられていることを特徴とする請求項１ないし４のいずれか一記載の電気機器、照明器具または電球形放電ランプ点灯装置。
【請求項６】
構成部材の少なくとも一部の表面に紫外線吸収膜または紫外線反射膜が形成されていることを特徴とする請求項１ないし５のいずれか一記載の電気機器、照明器具または電球形放電ランプ点灯装置。
【発明の詳細な説明】
【技術分野】
【０００１】
本発明は、複数の電子部品などから構成された各種電気機器、点灯回路装置とソケット装置とが設けられた筐体に放電ランプが取付けられて構成された照明器具および点灯回路装置と放電ランプとが一体的に設けられた電球形放電ランプ点灯装置に関する。
【背景技術】
【０００２】
白熱電球に比べ明るく長寿命で、発熱量も少ない蛍光ランプなどの放電ランプは、高効率・省エネルギーの光源としてよく知られているが、点灯するためには安定器などの点灯回路装置を必要としている。
【０００３】
照明用のランプ点灯装置（照明器具）として一般的には、点灯回路装置およびソケット装置を設けた筐体を天井面などに取付け、上記ソケット装置に蛍光ランプなどの放電ランプを装着するとともにランプなどを透光性のカバー体（セード）やグローブで覆うことによって構成している。
【０００４】
また、放電ランプ例えば蛍光ランプとともに点灯回路部品を一体的に組込んで捩込み型（Ｅ型）口金を取付け、この口金部をソケット装置の受金にそのまま装着することで白熱電球と互換性のある電球形蛍光ランプ点灯装置は、小形で省エネルギー化が図られていることから多用されている。
【０００５】
例えば上記電球形蛍光ランプ点灯装置を構成する蛍光ランプは、ガラス管を略Ｕ字形に屈曲し、このガラス管を複数本、連結管を介し接続してバルブが形成されている。
【０００６】
そして、上記蛍光ランプおよび点灯回路装置は合成樹脂材料からなるホルダにシリコン樹脂系接着剤などを介し取付けられ、カバー体および透光性のグローブなどで覆われた構成となっている。
【０００７】
このような電球形放電ランプ点灯装置や照明器具のカバー体やグローブなどの外表面に予め酸化チタンなどの光触媒膜を形成したものが、例えば特許文献１に記載されている。
【特許文献１】特許第２９３２９９３号公報
【発明の開示】
【発明が解決しようとする課題】
【０００８】
しかし、照明器具や電球形放電ランプ点灯装置などは、ガラスバルブの細径化、さらなる高出力化などに伴い点灯中のランプ装置の温度が一層高まる傾向にあり、点灯回路部品や合成樹脂製部品などが昇温することによって、シリコン樹脂接着剤などから揮発性ガスが発生する虞がある。
【０００９】
本発明は、上記電球形放電ランプ点灯装置や汎用の蛍光ランプなどの放電ランプの点灯器具に限らず複数の電子部品から構成されたインバータなどの各種電気機器において、構成部材からの異臭の発生を抑制するとともに汚れや早期劣化の防止などがさらに図れる、各種電気機器あるいは放電ランプを用いた照明器具および電球形放電ランプ点灯装置を提供することを目的とする。
【課題を解決するための手段】
【００１０】
本発明の請求項１に記載の電気機器は、複数の電子部品を実装している回路基板と、上記回路基板を収容するケースと、上記ケース内に設けられた吸着手段とを具備していることを特徴としている。
【００１１】
この電気機器は、通電により実装されている電子部品や回路基板などが発熱して、構成する樹脂部材などから揮発性ガスなどが発生しても、ケース内に形成した吸着手段により直ちにガスを吸着するので、周囲にその異臭を放散することが抑制できる。また、揮発性ガスなどを吸着するので、ガスの発生する虞がある部材を採用することも可能である。
【００１２】
例えば本発明が適用できる電気機器としては、高周波発生回路部品や巻線安定器などからなる電子部品をフェノール樹脂やガラスエポキシ樹脂などからなる回路基板に直接設けたり接続して構成したインバータなどが挙げられる。
【００１３】
また、この電気機器は、照明、ＡＶ、衛生、調理や空調などの家庭用およびＯＡ、通信、医療や電力などの産業用の各種電気装置に組込み用いることができる。
【００１４】
また、電子部品などが実装された回路基板を収容するケースは、金属板や合成樹脂板などで成形された基体（本体）部や基板部をなす部分であって、閉塞されていても一部が開放されている構造であってもよい。
【００１５】
なお、本発明ならびに以下の各発明において、特に指定しない限り用語の定義および技術的意味は次による。
【００１６】
吸着手段は、物理吸着剤と化学吸着剤とに区分できる。物理吸着作用をする吸着剤としては、シリカゲル、ゼオライト、セオライトや各種活性炭などがあり吸着作用を有する。また化学吸着作用する吸着剤としては、グラフト重合高分子、アクリル酸由来のカルボキシル基、アミノ基、スルフォン酸基などがあり主として揮発性ガスなどの物質を吸着して分解・変性させる作用がある。
【００１７】
また、吸着剤の形成形態はケースなどの内面に直接塗布層としてもあるいは金属板や合成樹脂板などで別体として成形した部材に塗布層を形成してケースの内部に配設するようにしてもよいし、粒状体として網目状容器に入れ上記の内部に配設してもよい。
【００１８】
本発明の請求項２に記載の照明器具は、ソケット装置を有するとともに点灯回路装置が設けられた筐体と、上記ソケット装置に装着された放電ランプと、上記筐体内に設けられた吸着手段とを具備していることを特徴としている。
【００１９】
この照明器具は、点灯による発熱によって、万一、点灯回路装置などのシリコン系樹脂部材などから揮発性ガスなどが発生しても、筐体内に形成した吸着手段により直ちにガスを吸着するので、周囲にその異臭を放散することを抑制できる。
【００２０】
なお、本発明ならびに以下の各発明において、特に指定しない限り用語の定義および技術的意味は次による。
【００２１】
筐体とは、金属板や合成樹脂板などで成形された器具の基体（本体）部や基板部をなす部分であって、点灯装置の取付部、点灯回路装置やソケット装置などが配設されている部分を指す。
【００２２】
吸着手段は、上述したものを用いることができ、その形成形態は筐体などに直接塗布層としてもあるいは金属板や合成樹脂板などで別体として成形した部材に塗布層を形成してカバー体内に配設するようにしてもよいし、粒状体を網目状容器に入れ筐体内に配設してもよい。
【００２３】
また、本発明は筐体に直接に吸着手段を設けたものに限らず、点灯回路装置を上記請求項１に記載のような吸着手段が設けられたケース内に収容して筐体の内部または外部に取着されていてもよく、この場合は、ケース内に点灯回路装置が設けられているため、熱放散が少なく点灯による熱を受けて回路基板や電子部品などから揮発性ガスなどが発生し易くなる。
【００２４】
しかし、その熱発生源である点灯回路装置を収容したカバー体内に吸着手段が設けてあるので、効率よく発生ガスを吸着できる上記請求項１の発明と同様な作用を奏する。
【００２５】
また、本発明が適用できる放電ランプは、蛍光ランプや紫外線放射ランプなどで、本発明では純粋の照明用の可視光放射ランプに限らず、紫外線を放射する露光用や殺菌用などの用途のランプであってもよく、器具も照明用に限定されず照明用と略同一構成の露光用や殺菌用などに適用する器具も包含するものである。
【００２６】
放電ランプのガラスバルブは、無鉛ガラスからなる直管形、Ｕ字状や環状などの屈曲形、平板形あるいは複数本のガラス管を接続して、上記形状に成形して内部に放電路が形成されたものである。ガラスバルブの端部に形成される封止部は、電極が設けられたフレアステムやボタンステムなどのステムを用いた封止のほか圧潰封止などの形態を採用できる。
【００２７】
また、ガラスバルブ内にはアルゴンＡｒ、クリプトンＫｒ、キセノンＸｅやネオンＮｅなどの希ガスが封入されていて、水銀封入の有無および蛍光体膜形成の有無は問わない。
【００２８】
電極はフィラメントコイルなどを用いた熱陰極に限らず、冷陰極であってもよく、バルブを形成する中間部のガラス管に電極を設けても差支えない。
【００２９】
また、本発明の照明器具は、上記筐体に反射板、セードやグローブなどが付設されることは構わない。上記反射板、セードやグローブとは、金属や合成樹脂材料などで成形され、セードやグローブは透光性や非透光性の部材からなる内部に点灯回路装置や放電ランプなどを収容したものを指し、光拡散や光指向などの制光体としての作用をなす。
【００３０】
本発明の請求項３に記載の電球形放電ランプ点灯装置は、屈曲したバルブを有する放電ランプと、上記放電ランプと電気的に接続する点灯回路部品で構成された点灯回路装置と、一端側に口金が設けられ、他端側に放電ランプを保持する保持部を有し、点灯回路装置を収容したドーム状部を有するカバー体と、このカバー体内に設けられた吸着手段とを具備していることを特徴としている。
【００３１】
このランプ装置はランプ点灯による発熱によって、万一、点灯回路装置のシリコン樹脂系接着剤および合成樹脂製部材などから揮発性ガスなどが発生しても、カバー体の内面に形成した吸着剤層が直ちに吸着して、異臭をカバー体外へ放散することを抑制できる。
【００３２】
また、放電ランプは、ポリブチレンテレフタレート（ＰＢＴ）などの電気絶縁性の耐熱合成樹脂材料などにより成形された保持部としてのホルダに支持されている。このホルダは、ランプ以外に点灯回路装置やグローブなどを一体的に支持したり、ランプと点灯回路装置とを区画する仕切りなどを兼ねることもある。
【００３３】
カバー体は、ポリブチレンテレフタレート（ＰＢＴ）などの電気絶縁性の耐熱合成樹脂材料などからなり点灯回路装置を収容するドーム状部分と口金が嵌挿される円筒状部が形成され、上記円筒状部の外周には口金が取着される構造となっている。例えばこの円筒状部の形状は捩込み型（Ｅ型）などの口金が螺合される螺旋溝が形成してある。また、ホルダや点灯回路装置などを覆うドーム状部の形状は問わない。
【００３４】
点灯回路装置は、上述したインバータを用いた高周波点灯方式や安定器を用いた点灯方式などを組込むことができる。
【００３５】
吸着手段は、上述したものを用いることができ、その形成形態はカバー体などに直接塗布層としてもあるいは金属板や合成樹脂板などで別体として成形した部材に塗布層を形成してカバー体内に配設するようにしてもよいし、粒状体を網目状容器に入れカバー体内に配設してもよい。
【００３６】
本発明の請求項４記載の電気機器、照明器具または電球形放電ランプ点灯装置は、上記ケース、筐体、カバー体のうちの少なくとも一部の、相対的に温度の低い領域には物理吸着する吸着手段を、温度の高い領域には化学吸着する吸着手段が設けられていることを特徴としている。
【００３７】
物理吸着する吸着剤は比較的温度の低い場所に、また、化学吸着する吸着剤は比較的温度が高い場所に設けることにより、効率よく吸着することができる。
【００３８】
例えば点灯中の電球形放電ランプ点灯装置のうち最も温度が高くなる部分は放電ランプで、放電ランプから離間するにつれて温度は低くなる傾向にある。したがって、物理吸着剤はカバー体の口金側に設け、放電ランプを保持する保持部材側に化学吸着剤を設けることで、外部に流れ出す揮発性ガスなどの放散量を低減することができる。
【００３９】
これは、電球形放電ランプ点灯装置から発する揮発性ガスは、主に高温空間から低温空間へ流れる傾向にある。したがって、揮発性ガスなどの発生源である高温部が特定できる場合は、発生源近傍に化学吸着剤を設け、低温部に物理吸着剤を設けるのが望ましい。
【００４０】
また、筐体にケースなどを介し点灯回路装置が設けられたものにおいても同様に、高温となる電子部品などの近傍や放電ランプ側に位置する領域には化学吸着する吸着剤を、この電子部品より離れた低温領域に物理吸着する吸着剤を設けるようにする。
【００４１】
本発明の請求項５に記載の電気機器、照明器具または電球形放電ランプ点灯装置は、上記回路基板、ケース、放電ランプ、点灯回路装置、筐体、カバー体のうちの少なくとも一部に光触媒膜が設けられていることを特徴としている。
【００４２】
本発明は、上記電気機器、照明器具または電球形放電ランプ点灯装置の構成部材に、光触媒膜を形成しているので、吸着手段と光触媒膜とが協同して作用し上記請求項１ないし４に記載したと同様な作用を奏する。
【００４３】
光触媒膜は、通常、放電ランプなどからの可視光を受けることで、光触媒活性により分解活性する。電球形放電ランプ点灯装置のようにカバー体内空間は、カバー体内に保持したバルブ端部から放出された紫外線により光触媒活性が行われる。
【００４４】
そして、本発明は背景技術で記述したように、グローブ、セードやカバー体表面に光触媒膜を形成することにより、請求項１ないし４の作用に加えて、点灯中発生する揮発性ガスなどを照明器具や点灯装置外に放散することを一層抑制することができる。さらに、カバー体、セードやグローブなどの汚れを防止できる。
【００４５】
なお、本発明においては、光触媒膜を筐体、反射体、ホルダを含むカバー体、点灯回路装置、グローブなどの他、放電ランプのバルブなどの表面に形成しても構わない。
【００４６】
また、カバー体などの内外面の少なくとも一部に形成する光触媒膜材料は、例えば二酸化チタンや二酸化チタンと活性炭との混合物の粉末（平均粒径が０．０１ないし５μｍ程度）をアクリル系樹脂、アルキッドメラミン系樹脂、酢酸ビニール系樹脂、フッ素系樹脂、シリコン系樹脂、エポキシ系樹脂や紫外線（ＵＶ）硬化樹脂などの有機バインダと混合した接着剤状のものが作られ、この接着剤状のものを部材にスプレイコーティングやディプコーティングなどの手段で塗布し、乾燥、熱処理するなどして０．１ないし３０μｍ程度の膜厚に形成される。
【００４７】
本発明の請求項６記載の電気機器、照明器具または電球形放電ランプ点灯装置は、構成部材の少なくとも一部の表面に紫外線吸収膜または紫外線反射膜が形成されていることを特徴としている。
【００４８】
光触媒膜の触媒の作用により、光触媒膜を形成したケース、筐体、カバー体、セードやグローブなどの部材の合成樹脂面を分解したり、剥離現象を生じたりすることがあり、この対策として合成樹脂部材の表面に波長３００〜４００ｎｍに対応する紫外線吸収膜または紫外線反射膜を形成しておくことにより合成樹脂部材の紫外線劣化を防ぐことができる。
【発明の効果】
【００４９】
本発明の請求項１の記載によれば、通電による発熱によって回路装置などから揮発性ガスなどが発生しても、ケース内に形成した吸着手段により直ちにガスを吸着するので、周囲にその異臭を放散することの抑制がはかれた電気機器を提供できる。
【００５０】
本発明の請求項２の記載によれば、点灯による発熱によって点灯回路装置などから揮発性ガスなどが発生しても、筐体やケース内に形成した吸着手段により直ちにガスを吸着するので、周囲にその異臭を放散することの抑制がはかれた照明器具を提供できる。
【００５１】
本発明の請求項３の記載によれば、ランプと点灯回路装置とを一体化した電球形放電ランプ点灯装置において、上記請求項１および２に記載と同様な効果を奏する。
【００５２】
本発明の請求項４の記載によれば、温度条件に対応して吸着剤の配置をすることにより、上記請求項１ないし３に記載と同様な効果を奏する電気機器、照明器具または電球形放電ランプ点灯装置を提供できる。
【００５３】
本発明の請求項５の記載によれば、上記請求項１ないし４の構成部材にさらに光触媒膜を形成することにより、周囲に異臭の放散および部材外観の汚れの抑制がはかれるメンテナンスなどが容易な電気機器、照明器具または電球形放電ランプ点灯装置を提供できる。
【００５４】
本発明の請求項６の記載によれば、合成樹脂部材への紫外線の照射を抑制して、紫外線劣化を防ぐことができ、長寿命化がはかれるとともに上記請求項１ないし５に記載と同様な効果を奏する電気機器、照明器具または電球形放電ランプ点灯装置を提供できる。
【発明を実施するための最良の形態】
【００５５】
以下、本発明の実施の形態を図面を参照して説明する。図１は電球形放電ランプ点灯装置の一部断面正面図である。
【００５６】
図中、１はカバー体で、このカバー体１は基端側に口金７が取付けられる円筒状部１１を他端側にドーム状部１２が形成してある。また、このドーム状部１２内には屈曲した放電ランプ２の端部を支持するとともにこのランプ２の点灯回路装置３およびグローブ４が取付けられるホルダ５が配設されている。
【００５７】
上記カバー体１はＰＢＴ樹脂などの電気絶縁性の耐熱性合成樹脂材料で成形され、基端側の円筒状部１１は外径が口金６のシェル６１の内径と略同径で口金嵌挿部をなし外周にはＥ型などの口金６が捩込むことにより取付け固定されている。なお、６２は絶縁部６３を介し設けられたアイレット端子である。
【００５８】
上記放電ランプ２は、略Ｕ字形に屈曲した外径が９〜１５ｍｍ程度、肉厚が０．８〜１．２ｍｍ程度の無鉛ガラスからなるガラス管２１，…をここでは３本、連結管２２，…を介し同一円周状に連結して１本の屈曲した放電路を形成したバルブ２３を有する。このバルブ２３の両端のガラス管２１の両端部にフィラメントコイルからなる電極（図示しない。）が設けられている。また、ガラス管バルブ２３の内面には蛍光体膜（図示しない。）が形成され、内部に放電媒体として水銀およびアルゴンなどの希ガスが封入されている。
【００５９】
なお、放電ランプ２のバルブ２３の形成は、上記のほかガラス管複数本を同一円周上に連通管を介し接続して配設したり、略Ｕ字形をしたガラス管をさらに略Ｕ字形に折曲したりあるいは少なくとも一部に螺旋状部を有するようなスパイラルバルブなど、屈曲したガラス管により１本の放電路が形成されたものであってもよい。
【００６０】
また、カバー体１のドーム状部１２の開口部１３には、ＰＢＴ樹脂材料などで円皿状に形成した保持部としてのホルダ５が嵌め込みなどの手段で固定されている。このホルダ５の下方の棚５１に形成された遊貫孔（図示しない。）内にはバルブ２３，…の端部が差し込まれ、シリコン系などの熱硬化性接着剤を介して接合固定されている。
【００６１】
また、点灯回路装置３を構成する、例えばトランジスタインバータを用いた高周波点灯用の回路部品３１，…を実装した回路基板３２が上記ホルダ５に係止されているとともに、この回路基板３２に放電ランプ２の外部リード線（図示しない。）が電気的に接続されている。また、点灯回路装置３から導出した配線または外部リード線（図示しない。）は、口金６のシェル６１とアイレット端子６２に接続されている。
【００６２】
また、光拡散性を有するガラスや合成樹脂材料で一端が開口し先端部が略半球状をしたなす型に形成されたグローブ４が複数本のガラス管２１，…からなる放電ランプ２を覆うようにして設けられている。このグローブ４は開口部４１の先端を、カバー体１のドーム状部１２の開口部１３内壁およびこの開口部１３内に嵌め込まれたホルダ５外周部との間の円環状部に差込み、隙間にシリコン系などの熱硬化性接着剤４２を充填して接合したり両者に形成した凹凸部（図示しない。）を嵌合することにより固定してある。
【００６３】
そして、上記カバー体１基端側の円筒状部１１からドーム状部１２の内周面にかけて例えばシリカゲルからなる吸着剤層７Ａが設けてある。さらに、ホルダ５の表面にはグラフト重合高分子からなる吸着剤層７Ｂが形成されている。
【００６４】
また、例えば二酸化チタンの粉末をアクリル系樹脂溶液に懸濁して作った接着剤がカバー体１およびグローブ４の表面にスプレイコーティングやディップコーティングなどの手段で塗布し乾燥・熱処理により固化することにより光触媒膜８が形成してある。また、このとき形成する膜厚は０．１ないし３０μｍ程度である。
【００６５】
上記のような構成とした電球形放電ランプ点灯装置Ｌは、グローブ４を把持して口金６部をソケット装置受金の螺旋溝へ捩込むことによって行われ、通常の定格電圧を印加することにより点灯させることができる。
【００６６】
そして、この電球形放電ランプ点灯装置Ｌは、点灯による発熱によって、万一、点灯回路装置３の新品の電子部品３１やシリコン樹脂系接着剤などから揮発性のガスが発生しても、ホルダ５の表面に形成した吸着剤層７Ｂが瞬時に吸着する。さらに、他から発生した揮発性ガスは、低温空間側に流れるが、カバー体１内に形成した吸着剤層７Ａにより吸着するので、カバー体１外へは放散することがない。
【００６７】
また、ランプ点灯装置Ｌの点灯経過に伴う各部の温度上昇により揮発性ガスが発生しても、吸着剤層７Ａ，７Ｂがこのガスを直ちに吸着し別な成分に分解するので、万が一有害な揮発性有機化合物が発生したとしても、それらが外部に放散されることを防止する。
【００６８】
さらに、カバー体５およびグローブ４の表面に形成した光触媒膜８の作用により、グローブ４やカバー体１表面に付着した有機物などの付着物を分解して汚れを防ぐとともに殺菌や消臭作用をする。
【００６９】
すなわち、上記２種類の吸着剤層７Ａ，７Ｂは、一方が消臭などを主体とする物理吸着作用をなすシリカゲル、他方が吸着分解を主体とする化学吸着作用をなすグラフト重合高分子からなるため、瞬時にはグラフト重合高分子が、また、長期的にみてはシリカゲルが主として作用する。さらに、このとき光触媒膜８も放電ランプＬや太陽光やなどからの３００〜４００ｎｍの近紫外線を受けて活性化し、これら吸着剤層７Ａ，７Ｂおよび光触媒膜８で揮発性ガス、有機物、窒素酸化物、塩素化合物などを酸化し分解させることができるので、環境の安全性を高めることができる。
【００７０】
なお、本発明は上記実施の形態において、吸着剤層７Ａ，７Ｂおよび光触媒膜８を設けたが、吸着剤層７Ａ，７Ｂのみ単独設けても揮発性ガスの吸着分解が行われるものである。
【００７１】
上記実施の形態では吸着剤層７Ａ，７Ｂを温度条件の異なる別の場所に設けたが、２種類の吸着剤層７Ａ，７Ｂを重層し、さらにその上に光触媒膜８を設けても、吸着剤層７Ａ，７Ｂを別個に例えばドーム状部１２より温度上昇の低い円筒状部１１寄りには物理吸着作用のある吸着剤層７Ａを、ドーム状部１２寄りには化学吸着作用のある吸着剤層７Ｂを設けるようにしてもよい。また、この吸着剤層７Ａ，７Ｂ上に光触媒膜８を形成するようにしても差し支えない。
【００７２】
また、吸着剤はカバー１内周面に被層したものに限らず、金属板や合成樹脂などの成形体に被層してカバー１内に配設したり、粒状やペレット状にして通気性の容器内に入れカバー１内に配設するなどしても上記実施の形態に記述したと同様な作用効果を呈する。
【００７３】
また、光触媒膜８を形成する部分は、カバー体１、グローブ４、ホルダ５、点灯回路装置３の電子部品３１や放電ランプのバルブ２３などであってもよい。
【００７４】
本発明は、吸着剤７Ａ，７Ｂおよび光触媒膜８が、カバー１内部で発生した揮発性ガスなどの物質を直ちに吸着分解させて外部へ放散することを抑制し、部材表面に付着した有機物などによる汚れを分解して汚損を防ぐとともに消臭や殺菌作用を行わせることができる。
【００７５】
なお、本発明ではグローブ４、カバー体１、ホルダ５や点灯回路装置３の回路基板３２などが合成樹脂材料で形成されている場合には、合成樹脂面にＴｉＯ2 、Ｃｅ3 Ｏ2 、ＺｒＯやＺｒＯ2 などからなる無機系の紫外線吸収膜やＡｌ2 Ｏ3 、Ｙ2 Ｏ3 やＳｉＯ2 など紫外線反射膜を形成した後に、この膜上に光触媒膜８を形成するようにしてもよい。
【００７６】
光触媒膜８は触媒の作用により部材の合成樹脂面を分解したり、剥離現象を生じたりすることがあり、この対応として合成樹脂部材の表面に紫外線吸収膜８を形成しておくことができる。そしてこの場合は、合成樹脂部材への紫外線の放射を抑制して、合成樹脂部材の紫外線劣化を防ぐことができる。
【００７７】
そして、この放電ランプ点灯装置Ｌは、取付けられた口金の種類により電球などの点灯に用いられている照明器具などの汎用のソケット装置に装着して適宜、使用することができ、その照明器具も限定されるものではない。
【００７８】
また、図２および図３は本発明のランプ点灯装置の他の実施の形態を示す。図２は直管形放電ランプの点灯装置Ｌ１の正面図、図３は環形放電ランプの点灯装置Ｌ２の一部断面正面図で、図中、図１と同一部分には同一の符号を付してその説明は省略する。
【００７９】
図２の点灯装置Ｌ１は、基体をなす角筒状の筐体９１下面の両端近くに直管形放電ランプ２が装着されるソケット装置９２，９２が設けられているとともに筐体９１内にはこのソケット装置９２，９２と接続したインバータからなる点灯回路装置（図示しない。）を収容したケース９０が配設されている。
【００８０】
そして、上記点灯回路装置（図示しない。）を収容したケース９０の内面に被層したり、内部に配置した網目状容器内に収容したりすることにより吸着剤７Ａ，７Ｂの少なくとも一方が設けてある。
【００８１】
また、図３の点灯装置Ｌ２は、不透光性の筐体９１内の上部にインバータからなる点灯回路装置（図示しない。）を収容したケース９０が配設され、このケース９０から導出した給電線先端のソケット装置９２を環形放電ランプ２３の口金６に差し込むことにより接続されている。なお、図中、９３は筐体９１の開口部に設けられたセード、９４，…は環形放電ランプ２の支持部材である。
【００８２】
そして、この点灯装置Ｌ２の場合は、吸着剤７Ａ，７Ｂの少なくとも一方が上記点灯回路装置（図示しない。）を収容したケース９０の内面に被層したり内部に配置した網目状容器内などに収容したりすることにより設けてある。
【００８３】
上記点灯装置Ｌ１およびＬ２の場合も、ソケット装置９２に接続した放電ランプ２を点灯回路装置を介して点灯させたとき、電子部品などから揮発性ガスなどがケース９０内に発生しても、吸着剤７Ａまたは／および７Ｂが直ちに揮発性物質を吸着分解させてケース９０外部へ放散することを抑制し、部材表面に付着した有機物などによる汚れを分解して汚損を防ぐとともに消臭や殺菌作用を行わせることができる。
【００８４】
なお、上記図２および図３で示す点灯装置Ｌ１，Ｌ２において、２種類の吸着剤７Ａ，７Ｂを設ける場合は、ケース９０内などの高温側には吸着剤７Ｂを、ケース９０外の筐体９１部に低温部には吸着剤７Ａを設けるなどのことをしてもよい。また、この実施の形態においても点灯装置を構成する部材の一部に光触媒膜８および紫外線吸収膜または紫外線反射膜を設けておくことは構わない。
【００８５】
なお、本発明は上記実施の形態では照明器具および電球形放電ランプ点灯装置について述べたがこれら記載したものに限定されない。例えば本発明は複数の電子部品を回路基板に実装して構成したインバータなどの電気機器において適用してもよく、その場合も同様な作用効果を奏する。
【００８６】
また、本発明は上記照明器具および電球形放電ランプ点灯装置において、例えばランプや点灯回路装置を支持する筐体、ホルダを含むカバー体、グローブあるいは相互部材の係合手段などの構成や形状はランプの形状や組込む部品などに応じて種々変形してもよい。また、温度上昇が高いランプ点灯装置では、カバー体やケースなどに放熱用の通気孔を形成しておいてもよい。
【００８７】
また、グローブは必須のものではなく、グローブがない放電ランプが露出した装置であってもよい。
【図面の簡単な説明】
【００８８】
【図１】本発明の実施の形態の電球形放電ランプ点灯装置を示す一部断面正面図である。
【図２】本発明の他の実施の形態の直管形放電ランプを用いた照明器具を示す正面図である。
【図３】本発明の他の実施の形態の環形放電ランプを用いた照明器具を示す一部断面正面図である。
【符号の説明】
【００８９】
Ｌ：電球形放電ランプ点灯装置、    Ｌ１：照明器具（直管形放電ランプ点灯器具）、    Ｌ２：照明器具（環形放電ランプ点灯装置）、    １，９０：カバー体、    １１：円筒状部、    １２：ドーム状部、    ２：放電ランプ、    ２１：ガラス管、    ２３：バルブ、    ３：点灯回路装置、    ４：グローブ、    ５：ホルダ、    ６：口金、    ７Ａ，７Ｂ：吸着剤、    ８：光触媒膜、    ９０：ケース、
【図１】
2006120323.tif 000003
【図２】
2006120323.tif 000004
【図３】
2006120323.tif 000005